(57)【要約】【課題】洗浄槽の一側面に上下に複数枚の扉を有した食器洗浄機の扉構造において、上扉の回動軸が邪魔になって、高さが大きい食器類の洗浄槽内への出し入れができない等の不具合がある。【解決手段】食器洗浄機の上扉において、回転軸構成部材自体の上方への移動構造を付加することにより、下扉を開いた時の下部開口エリアを下扉の高さよりも大きくすることも出来、結果、通常の使用状態では下扉の開口部から入れることが困難な大きな食器の出し入れを可能とする。【選択図】  図１
2004160160.tif 000002
【特許請求の範囲】
【請求項１】
食器を載置可能な食器かごを収納する洗浄槽と、本体前面の開口部に設けられた扉と、該扉の略下辺を回転軸として開閉させる回転軸保持プレートを備えた食器洗浄機において、前記回転軸保持プレートに、前記扉全体を扉配置面に対して前後または上下方向へ移動させる移動機構を付加したことを特徴とする食器洗浄機。
【請求項２】
回転軸保持プレートと洗浄槽側面の間にリニアスライド部を設け、回転軸保持プレートがリニアスライド部のスライド方向に沿って移動可能なことを特徴とする請求項１記載の食器洗浄機。
【請求項３】
回転軸保持プレートが、洗浄槽側面に設けた回転軸保持プレート自身の回転軸を中心に回動する構造を特徴とした請求項１記載の食器洗浄機。
【請求項４】
回転軸保持プレート自身の回転軸が、扉の略上辺に位置され、扉の略上辺を開閉回動中心とした扉回転軸となっていることを特徴とした請求項３記載の食器洗浄機。
【請求項５】
回転軸保持プレートと洗浄槽側面が、略平行に設置された２本のリンクバーで連結され、回転軸保持プレートと洗浄槽側面及び２本のリンクバーにより、四節リンク構造が構成されていることを特徴とする請求項１記載の食器洗浄機。
【請求項６】
前記四節リンクバー両回転軸間及び洗浄槽側面に扉上方位置保持バネを係止させる係止部を設け、両係６止部間に引張り力を付与する可撓体が取り付けられていることを特徴とした請求項３〜５記載の食器洗浄機。
【請求項７】
回転軸保持部材若しくはその周辺部材と、洗浄槽側面の間に扉上下移動量規制構造が設置されていることを特徴とする請求項１〜６記載の食器洗浄機。
【請求項８】
扉の回転軸を構成する扉固定プレートの一端と洗浄槽側面、若しくは洗浄槽側面に配置された部品の一部の間にて、扉開度規制構造が構成されていることを特徴とする請求項１〜７記載の食器洗浄機。
【請求項９】
前記扉構造を具備した食器洗浄機において、扉の完全開状態にて上下移動が可能となる、移動規制解除装置が配備されていることを特徴とする請求項１〜８記載の食器洗浄機。
【請求項１０】
洗浄槽の前面に上下方向に並んだ２枚以上の扉を有しており、少なくとも最上部に設置された扉が請求項１〜９記載の構造となっていることを特徴とする食器洗浄機。
【発明の詳細な説明】
【０００１】
【発明の属する技術分野】
本発明は食器洗浄機等の扉構造に関する。
【０００２】
【従来の技術】
洗浄槽の一側面に複数枚の扉を有した食器洗浄機扉構造として、上下２枚の扉と上下２段の食器かごを有し、また上下の扉共に扉の略下辺を回動軸として開閉するタイプがある。（特許文献１参照）
このような構成により、上下２段の食器かご夫々に扉を開口した状態で食器かごを引き出すことが出来、また食器かご及び食器かごに転載した食器から滴り落ちる滴を扉の内側で受ける構造とすることが出来る。
また、下扉は下辺を回動軸として開閉可能、上扉は上辺を回動軸として回動可能とし、上下両方の開扉状態にて、扉１枚分以上の広い開口面を同一箇所に設けることが出来るタイプがある。（特許文献２参照）
このような構成により、下扉だけ、上扉だけの開口部からでは収納が出来ない大きな食器や長い食器・器具類を収納することが可能となる。
【０００３】
【特許文献１】
特開２００２−１４３０７３号公報（第５頁  図１）
【特許文献２】
特開２００２−６５５５５号公報（第  頁  図１、図２）
【０００４】
【発明が解決しようとする課題】
しかしながら、従来の食器洗浄機扉構造の場合、次のような問題を有していた。
まず、前者の従来例の場合、上下２段の構造になっているにも関わらず、上かごを外すなどしても、上扉の回動軸が邪魔になるために、下扉の高さよりも大きい食器や長い食器・まな板、菜箸などの長尺な器具類を収納する際、扉の開放間口が狭く、大きな物の出入れが困難となっていた。
また、後者の従来例の場合、扉の開放間が広いため大きい食器や長い食器・器具類の収納が容易となるが、上扉の回動軌跡が、食器洗浄機本体の天板よりも高い位置になるため、例えば、食器洗浄機の上方にカウンター扉などの障害物がある場合、扉開閉が十分に出来ないなどの問題も同時に有していた。
本発明は、扉の開放間口を広くして、扉の高さよりも大きい食器や長い食器・まな板、菜箸などの長尺な器具類を容易に出入れ可能な食器洗浄機を提供することにある。
【０００５】
【課題を解決するための手段及び作用・効果】
上記目的を達成するために、請求項１では、食器を載置可能な食器かごを収納する洗浄槽と、本体前面の開口部に設けられた扉と、該扉の略下辺を回転軸として開閉させる回転軸保持プレートを備えた食器洗浄機において、前記回転軸保持プレートに、前記扉全体を扉配置面に対して前後または上下方向へ移動させる移動機構が付加されているため、扉下部の開口部を広げたり、或いは扉開閉により周囲の障害物への干渉を抑制したりすることが出来る。
【０００６】
請求項２では、回転軸保持プレートと洗浄槽側面の間にリニアスライド部を設けることで、回転軸保持プレートが上下方向に移動可能な構造となるため、上扉の通常使用状態と上扉を上方にスライドした際の状態で、扉の前出量が同じとなるため、下扉の高さよりも大きい食器を入れようと、上扉を上方にずらした際に、上扉が使用者側にせり出してくる等の問題を防ぐことが出来る。
【０００７】
請求項３では、回転軸保持プレートが、洗浄槽側面に設けた回転軸保持プレート自身の回転軸を中心に回動する構造にすることにより、通常の上扉開状態から、扉の取っ手部分を持ったまま斜め上方にドアを開き上げることにより、下扉の開口部分を大きくすることが可能となる。
【０００８】
請求項４では、回転軸保持プレート自身の回転軸が、扉の略上辺に位置され、扉の略上辺を開閉回動中心とした扉回転軸となることにより、通常、扉下辺を回転軸として開閉可能な扉が、上辺を回転軸として開閉可能な扉としても使用が可能となる。
【０００９】
請求項５では、回転軸保持プレートと洗浄槽側面が、略平行に設置された２本のリンクバーで連結され、回転軸保持プレートと洗浄槽側面及び２本のリンクバーにより、四節リンク構造を構成することにより、扉を上方に移動する際に、回転軸保持プレートの平行移動が可能となるため、扉の開度を保持しながらの下扉開口部分拡大を行うことが出来る。
【００１０】
請求項６では、四節リンクバー両回転軸間及び洗浄槽側面に扉上方位置保持バネを係止させる係止部を設け、両係止部間に引張り力を付与する可撓体が取り付けることにより、扉の上下方向位置によって、扉の上下方向に働く力を変える事が出来、例えば、扉が下方にある時は、下方の位置を保持しようとする力を、上方にある時は、上方の位置を保持しようとする力を印加することが出来る。
【００１１】
請求項７では、回転軸保持部材若しくはその周辺部材と、洗浄槽側面の間に上下移動量規制構造が設置されているため、例えば、扉の回動軸位置を最下端、若しくは最上端で保持することが可能となる。
【００１２】
請求項８では、扉の回転軸を構成する扉固定プレートの一端と洗浄槽側面、若しくは洗浄槽側面に配置された部品の一部の間にて、扉開度規制構造を構成することにより、扉の上下方向の位置により、扉の可能開度を変える事が出来、結果、例えば扉の上端が食器洗浄機本体天面より低く保つことなどが可能となる。
【００１３】
請求項９では、前記扉構造を具備した食器洗浄機において、扉の完全開状態にて上下移動が可能となる、移動規制解除装置が配備することにより、扉が半開き状態で上方に扉が上がってしまう等の不具合を防止することが出来る。
【００１４】
請求項１０では、洗浄槽の前面に上下方向に並んだ２枚以上の扉を有しており、少なくとも最上部に設置された扉に、前述した移動機構を設けることにより、移動機構を設けた扉の直下に設置された扉の開口面を、自身の扉開口面よりも広く設けることが出来る。
【００１５】
【発明の実施の形態】
以下、図１〜図４に基づき、第１の実施例について説明する。本実施例は、夫々下辺を回転軸として開閉する上下２枚の扉を有する食器洗浄機の上扉の構造を示している。
図１（ａ）は、上下２枚扉を有する食器洗浄機の扉を閉じた状態での外観図を示す。また図１（ｂ）は、同食器洗浄機の、通常使用状態での扉を開いた状態を示す。また図２〜４は、外装板６を外して、扉部の周辺を側面から見た図である。図２，３，４は夫々、上扉を閉じた状態、上扉を開いた状態、上扉を開いて上方へ移動した状態を示している。
図１に示すように、食器洗い機本体１の前面に設けられた上下２枚の扉２，３は通常の使用状態においては、夫々独立して扉の下辺を回動軸４，５として開閉することが出来る。
【００１６】
ここで、上扉の回動・移動機構部は、図２に示す通り、２つの回転軸を持った構造となっている。通常の開閉動作は、回転軸保持プレート７と上扉固定プレート８の連結部９にて構成されるヒンジの回転軸４を中心とした回動動作として行われる。回転軸保持プレート７と上扉固定プレート８には夫々、扉の回動がスムースに行われるよう、扉が閉じる方向に付勢力を加える開閉調整スプリング固定ピン１０、１１、及び互いの固定ピン間には開閉調整スプリング１２が設置されている。
なお、回転軸保持プレート７は、洗浄槽１３の壁面１４に取り付けられたベースプレート１５と回転軸保持プレート自身の回転軸１６を設けて連結されており、さらに、ベースプレート１５の下部には回転軸保持プレート７の位置を保持するための板バネ１７が設置されており、また回転軸保持プレート７の下部には板バネ１７で位置を保持するための引掛け部１８が設置されている。また、回転軸保持プレート７とベースプレート１５には夫々、上下調整スプリング固定ピン１９、２０、及び互いの固定ピン間には上下調整スプリング２１が設置されている。また、回転軸保持プレート７には扉開閉量規制リブ２２、ベースプレート１５には扉上下移動量規制リブ２３が設置されている。さらに、上扉固定プレート７には、扉開閉量規制リブ２２で回転量が規制されるよう、突き当て壁２４が、またベースプレート１５には扉上下移動量規制リブ２３で上下移動量が規制されるよう、突き当て壁２５が設置されている。
【００１７】
本実施例においては、通常の使用状態では、上下扉共に、扉下辺を中心軸とした回動にて、扉の開閉、食器の出し入れを行うことが出来る。上扉２を例に挙げれば、図３に示す通り、第１の回転軸４を中心に方向２６に回動することが出来る。なお回動量は、扉開閉量規制リブ２２と上扉固定プレート７上の突き当て壁２４にて規制されている。但し、この使い方にては、高さが下扉３の開口高さ２７よりも大きい食器は出し入れが困難、或いは不可能となるが、図４に示す通り、上扉２を開いた状態で、さらに、方向２８へ上扉２を引くと、板バネ１７と回転軸保持プレート７の引掛け部１８の掛かりが外れ、回転軸保持プレート７が回転軸保持プレート自身の回転軸１６を中心に方向２９に回動することが出来るため、結果、下扉３の開口高さ３０は、開口高さ２７より大きくすることが出来、下扉を開けて、高さの高い食器の出し入れが可能となる。
【００１８】
次に図５〜８に基づき、第１．５の実施例について説明する。本実施例においては、回転軸保持プレート７自身の回転軸１６が上扉２の略上辺に位置している。
図５を見て判る通り、上扉閉状態においては、上扉下部は回転軸保持プレート７に設けた引掛け部１８が、例えば板バネ１７のような固定部材に留まり、また上扉上部は扉取っ手４３の先端に設けたフック部４４が回転軸保持プレート７に設けたストッパ４５に引っ掛かる形態で、夫々固定されている。なお、下扉３は、扉取っ手４３が上扉同様に設けられており、扉閉状態においては、フック部４４がストッパ４５に引っ掛かっている。
【００１９】
通常の扉開動作は、図６に示す通り、取っ手４３を回動させ、フック部４４をストッパ４５から離すことにより、行うことができる。この場合の下扉開口高さは２７に示す大きさである。
なお図７に示す通り、上扉の開閉動作は、取っ手４３の回動動作でなく、上扉の下辺を手前側に引き、回転軸保持プレート７に設けた引掛け部１８をバネ１７から外すことによっても行うことができる。その際、上辺を回転軸とした開動作となり、結果、下扉開口高さは３０に示す大きさまで拡大するができる。
このように、本実施例の形態を採ることにより、上扉は上からでも下からでも開くことが容易に出来るのである。
なお図８に示す通り、上扉下部の回動軸４と回動軸保持プレート７自身の回動軸１６を双方回転させて、上扉を開けることも勿論可能である。
なお、本実施例においては、扉の開動作に関連するヒンジ構造、ロック構造のみに着眼したが、設計時には、実施例１に示したような開閉調整スプリング１２の設置や、扉開閉量規制リブ２２のような付帯構造が必要なのは言うまでもない。
【００２０】
次に図９に基づき、第３の実施例について説明する。本実施例においては、図９（ａ）に示す通り、上扉固定プレート８は洗浄槽１３の壁面１４に取り付けられたリニアガイド３１により上下方向にスライド可能な構成となっている。図９（ｂ）に示す通り、リニアスライド３１内部は、上扉固定プレート８の端部に設けたローラ３２がガイドレール３３に沿って転がる構造となっている。上扉固定プレートは、このような形態にても方向３４の上下動が可能で、第１の実施例と同様な効果が得られる。
【００２１】
次に図１０〜１３に基づき、第４の実施例について説明する。
本実施例においては、上扉固定プレート８は、上部リンクバー３５と下部リンクバー３６の２本のバーを介して、洗浄槽側面に設置したベースプレート１５と連結されている。なお、各リンクバーと各プレート間の連結部は、回転軸を中心に回動可能な構造となっている。その結果、上部リンクバー３５、下部リンクバー３６、及び上扉固定プレート８、ベースプレート１５により四節リンク構造が形成されている。
本実施例においても、前述した実施例同様に、上扉開動作後、上扉を上方に四節リンク構造により移動が可能である。なお、上方への移動は方向３７になるが、この際、本実施例のように四節リンク構造を平行リンク構造としておけば、上扉２の上方への移動の際、回転軸保持プレート７や上扉固定プレート８が回転することなく、斜め上方に移動することになる。その結果、扉の開き角度が保たれるため、上扉２を上方に移動しても扉の上端面が食洗機天面より高くなることなどを防ぐことが出来る。
【００２２】
なお、ベースプレート１５に設けた上下調整スプリング固定ピン２０と上部リンクバー中に設けた上下調整スプリング固定ピン３８の間に、上下調整スプリング２１を配しているが、図１１に示す通り、本実施例のように、上扉２を下方に下げた状態にて双方の固定ピン間を結ぶ線分３９に対して、上部リンクバー３５とベースプレート１５の連結部４０を上になるように配置することで、上下調整スプリングの引張り力により、故意に上扉２を上方に上げるアクションをしない限り、上扉２を通常使用位置である下方に保持することが可能となる。また、本実施例では、図１３に示す通り、上扉２を僅かに上方に移動させることにより、双方の固定ピン間を結ぶ線分４１は、連結部４０より上方になるため、上下調整スプリングの引張り力は、上扉２を上方に移動する方向に働くことになり、上扉２の上方移動をしやすくすると共に、所定の距離だけ上方に移動したところで、上扉固定プレート８を保持することが出来る。
勿論、上下調整スプリングのバネ力、上扉の重量などの条件が加わってくるが、必要仕様に応じて、上下調整スプリングの位置、大きさなどを設定すればよい。
【００２３】
また本実施例においては、下部リンクバー３６の一部に扉開度規制リブ４２を設置している。図１２のように、上扉２を上方に移動した状態で上扉２を閉めようとすると、扉開度規制リブ４２と上扉固定プレート８が干渉して、閉まらないようになる。結果、上扉２の上端面が、食器洗浄機の上面を越さないようにすることなどが可能となる。
【図面の簡単な説明】
【図１】本発明における第１〜３の実施例である上下２枚扉の食器洗浄機の外観を示す図である
（ａ）扉を閉じた状態
（ｂ）通常使用状態での扉を開いた状態
【図２】本発明における第１の実施例として、図１に示す食器洗浄機の外装板を外し、扉部の周辺を側面から見た図である。（上扉を閉じた状態）
【図３】本発明における第１の実施例として、図１に示す食器洗浄機の外装板を外し、扉部の周辺を側面から見た図である。（通常使用状態で上扉を開いた状態）
【図４】本発明における第１の実施例として、図１に示す食器洗浄機の外装板を外し、扉部の周辺を側面から見た図である。（上扉を開いて上方へ移動した状態）
【図５】本発明の第２の実施例における扉の閉状態を示す。
【図６】本発明の第２の実施例における通常の扉開状態を示す。
【図７】本発明の第２の実施例における上扉の下開き状態を示す。
【図８】本発明の第２の実施例における上扉を通常の扉開状態から下開きを行った状態を示す。
【図９】本発明における第３の実施例を示す図である。
（ａ）上扉を開いて上方へ移動した状態
（ｂ）リニアスライド内部
【図１０】本発明における第４の実施例を示す図である。
（通常使用状態で上扉を開いた状態）
【図１１】本発明における第４の実施例を示す図である。（図６のベースプレート１５周辺の拡大図）
【図１２】本発明における第４の実施例を示す図である。（上扉を開いて上方へ移動した状態）
【図１３】本発明における第４の実施例を示す図である。（図７のベースプレート１５周辺の拡大図）
【図１４】第１の例として挙げた従来の食器洗浄機における開閉扉構造図である。
【図１５】第２の例として挙げた従来の食器洗浄機における開閉扉構造図である。
【符号の説明】
１…食器洗い機本体
２…上扉
３…下扉
４…上扉下部の回動軸（上扉の第１の回転軸）
５…下扉下部の回動部
６…外装板
７…回転軸保持プレート
８…上扉固定プレート
９…連結部
１０…回転軸保持プレート７上の開閉調整スプリング固定ピン
１１…上扉固定プレート８上の開閉調整スプリング固定ピン
１２…開閉調整スプリング
１３…洗浄槽
１４…洗浄槽１３の壁面
１５…ベースプレート
１６…回転軸保持プレート７自身の回転軸
１７…板バネ
１８…引掛け部
１９…回転軸保持プレート７上の上下調整スプリング固定ピン
２０…ベースプレート１５上の上下調整スプリング固定ピン
２１…上下調整スプリング
２２…扉開閉量規制リブ
２３…扉上下移動量規制リブ
２４…上扉固定プレート７上の突き当て壁
２５…ベースプレート１５上の突き当て壁
２６…上扉２の回動方向
２７…下扉３の開口高さ（上扉上方移動前）
２８…上扉２の上方移動方向
２９…回転軸保持プレート自身の回転軸の回転方向
３０…下扉３の開口高さ（上扉上方移動時）
３１…リニアスライド部
３２…ローラ
３３…ガイドレール
３４…上下のスライド方向
３５…上部リンクバー
３６…下部リンクバー
３７…実施例３での上扉上下移動方向
３８…上部リンクバー３５上に設けた上下調整スプリング固定ピン
３９…上扉が下方にある時の上下調整スプリング取付ピンを結ぶ線分
４０…上部リンクバー３５とベースプレート１５の連結部
４１…上扉が上方にある時の上下調整スプリング取付ピンを結ぶ線分
４２…扉開度規制リブ
４３…扉取っ手
４４…フック部
４５…ストッパ
【図１】
2004160160.tif 000003
【図２】
2004160160.tif 000004
【図３】
2004160160.tif 000005
【図４】
2004160160.tif 000006
【図５】
2004160160.tif 000007
【図６】
2004160160.tif 000008
【図７】
2004160160.tif 000009
【図８】
2004160160.tif 000010
【図９】
2004160160.tif 000011
【図１０】
2004160160.tif 000012
【図１１】
2004160160.tif 000013
【図１２】
2004160160.tif 000014
【図１３】
2004160160.tif 000015
【図１４】
2004160160.tif 000016
【図１５】
2004160160.tif 000017